(57)【要約】  本願の目的は、無線接続性を可能にするためのモジュールを備える改善された照明デバイスを提供することにある。本発明は、光源と、ハウジングと、照明デバイスの無線接続性を可能にするためのモジュールとを備える照明デバイスであって、モジュールは、第２の主壁に対向する第１の主壁を有するエンクロージャと、無線通信用のアンテナであって、アンテナは、エンクロージャ内に含まれ、アンテナは、第１の主壁に隣接している、アンテナと、照明デバイスの無線接続性を可能にするために前記アンテナに接続されるコントローラと、第１の主壁がハウジングに当接する第１の位置、又は第２の主壁がハウジングに当接する第２の位置においてモジュールをハウジングに取り付けるために配設される取付手段とを備える、照明デバイスを提供する。
2021530844.tif 000002
【特許請求の範囲】
【請求項１】
光源と、ハウジングと、照明デバイスの無線接続性を可能にするためのモジュールとを備える照明デバイスであって、前記モジュールは、
第２の主壁に対向する第１の主壁を有するエンクロージャと、
無線通信用のアンテナであって、前記アンテナは、前記エンクロージャ内に含まれ、前記アンテナは、前記第１の主壁に隣接している、アンテナと、
当該照明デバイスの無線接続性を可能にするために前記アンテナに接続されるコントローラと、
前記第１の主壁が前記ハウジングに当接する第１の位置、又は前記第２の主壁が前記ハウジングに当接する第２の位置において前記モジュールを前記ハウジングに取り付けるために配設される取付手段と、
を備え、
前記エンクロージャの前記第１の主壁は、前記アンテナが前記第１の主壁に隣接していることを示すための視覚的インジケータを備える、照明デバイス。
【請求項２】
前記視覚的インジケータは、前記アンテナが前記第１の主壁に面していることを示す、請求項１に記載の照明デバイス。
【請求項３】
前記モジュールは、前記コントローラを備えるベースキャリアと、前記アンテナを備える高所キャリアとを備え、前記ベースキャリア及び前記高所キャリアは、前記エンクロージャ内に含まれ、前記ベースキャリアは、前記第２の主壁上に置かれ、前記ベースキャリアから突出するオフセット部材が、前記高所キャリアを前記ベースキャリアより高くする及び前記ベースキャリアと前記高所キャリアとの間の高さを規定するために配設される、請求項１又は２に記載の照明デバイス。
【請求項４】
前記高さは、少なくとも１ｃｍであり、最大でも４ｃｍである、請求項３に記載の照明デバイス。
【請求項５】
前記第１の主壁及び前記第２の主壁は、平坦である、請求項１乃至４のいずれか１項に記載の照明デバイス。
【請求項６】
前記ハウジングは、前記第１の主壁が前記ハウジングと当接するインターフェース領域に開口を備える、請求項１乃至５のいずれか１項に記載の照明デバイス。
【請求項７】
前記取付手段は、前記第１の位置又は前記第２の位置において前記ハウジングに前記モジュールを着脱可能に取り付けるように構成される、請求項１乃至６のいずれか一項に記載の照明デバイス。
【請求項８】
前記取付手段は、
前記第１の主壁から前記第２の主壁へ延びる前記エンクロージャ内のスループットホールであって、前記スループットホールは、固定要素を収容するように配設される、スループットホール、
ベルクロ、
接着性表面領域、
モジュールを少なくとも１つのそれぞれのスロットにスナップフィットするための少なくとも１つの歯であって、前記ハウジングは、前記少なくとも１つのそれぞれのスロットを備える、少なくとも１つの歯、及び
磁性領域に磁気的に接続するための磁性部材であって、前記ハウジングは、前記磁性領域を備える、磁性部材、
のうちの少なくとも１つを備える、請求項１乃至７のいずれか一項に記載の照明デバイス。
【請求項９】
前記モジュールは、モジュール材料を含み、前記モジュール材料は、ポリマーである、請求項１乃至８のいずれか一項に記載の照明デバイス。
【請求項１０】
前記ハウジングは、ハウジング材料を含み、前記ハウジング材料は、ポリマー、金属、セラミック、ガラスのうちのいずれかである、請求項１乃至９のいずれか一項に記載の照明デバイス。
【請求項１１】
前記モジュールは、前記ハウジング材料が金属である場合、前記第１の位置において前記ハウジングに取り付けられ、又は、前記モジュールは、前記ハウジング材料がポリマーである場合、前記第２の位置において前記ハウジングに取り付けられる、請求項１乃至１０のいずれか一項に記載の照明デバイス。
【請求項１２】
当該照明デバイスは、前記光源に給電するためのドライバを備え、
前記コントローラは、電力を受ける、調光レベルを決定する、及び、前記光源の無線調光制御を提供するように前記決定された調光レベルで前記ドライバに前記受けた電力を送るように構成される、請求項１乃至１１のいずれか一項に記載の照明デバイス。
【請求項１３】
光源とハウジングとを備える照明デバイスに前記照明デバイスの無線接続性を可能にするためのモジュールを設ける方法であって、
前記モジュールは、
第２の主壁に対向する第１の主壁を有するエンクロージャと、
無線通信用のアンテナであって、前記アンテナは、前記エンクロージャ内に含まれ、前記アンテナは、前記第１の主壁に隣接している、アンテナと、
前記照明デバイスの無線接続性を可能にするために前記アンテナに接続されるコントローラと、
を備え、
当該方法は、
前記第１の主壁が前記ハウジングに当接する第１の位置、又は前記第２の主壁が前記ハウジングに当接する第２の位置において、取付手段によって、前記モジュールを前記ハウジングに取り付けることを含む、方法。
【請求項１４】
前記照明デバイスは、前記光源に給電するためのドライバを備え、当該方法は、前記モジュールの前記コントローラによって行われる、
電力を受けること、
調光レベルを決定すること、及び
前記決定された調光レベルで前記ドライバに前記受けた電力を送ること、
を含む、請求項１３に記載の方法。
【請求項１５】
当該方法は、
前記モジュールの前記アンテナによって、前記調光レベルを含む無線調光コマンドを受信すること、及び
前記コントローラに前記調光レベルを伝えること、
を含む、請求項１４に記載の方法。
【発明の詳細な説明】
【技術分野】
【０００１】
本発明は、光源と、ハウジングと、照明デバイスの無線接続性(wireless connectivity)を可能にする(enable)ためのモジュールとを備える照明デバイスに関する。本発明はさらに、光源とハウジングとを備える照明デバイスに照明デバイスの無線接続性を可能にするためのモジュールを設ける方法に関する。
【背景技術】
【０００２】
今日では、照明デバイスのごく一部しか、無線接続性を備えていない。照明デバイスに無線接続性、例えば、無線調光機能性等を提供することがよく望まれる。そのような無線接続性は、例えば、それ相応に製造する前に照明デバイスに設計されてもよい。しかしながら、そのような無線接続性から恩恵を受ける可能性がある、多くの照明デバイスは、無線接続性、例えば、無線調光機能性を有するように当初は設計されていない。
【０００３】
それゆえ、照明分野で知られているように、設計された無線接続性を有しない照明デバイスは、前記無線接続性を可能にする追加モジュールを後に具備する可能性がある。ＤＥ１０２０１７１１０７９１Ａ１は、無線通信モジュールの一例を備える。
【０００４】
しかしながら、照明デバイスに提供される場合、そのようなモジュールは、照明デバイスのハウジング及び／又は照明デバイスの他の構成要素に対して特定の位置付け(positioning)を必要とする。なぜなら、前記ハウジング及び／又は他の構成要素によって無線信号が干渉される可能性があると、モジュールの接続性及び適切な機能を制限する恐れがあるからである。斯くして、照明デバイスのサイズ、形状及び材料に大きなばらつきがあるため、そのようなモジュールの汎用性は限られており、照明デバイスへのそのようなモジュールの統合(integration)は、所望のレベルの無線接続性を維持しようとしながら、依然としてカスタマイズを必要とする。
【発明の概要】
【発明が解決しようとする課題】
【０００５】
本発明の目的は、少なくとも上記の課題及び不利な点を緩和する、改善された照明デバイスを提供することである。それにより、本願の目的は、例えば無線調光制御等の無線接続性を可能にするためのモジュールを備える照明デバイスであって、該モジュールは、そのような照明デバイスの多くのバリエーションに容易に且つ幅広く組み込まれ得る、改善された照明デバイスを提供することにある。
【課題を解決するための手段】
【０００６】
本発明は、光源と、ハウジングと、照明デバイスの無線接続性を可能にするためのモジュールとを備える照明デバイスであって、モジュールは、第２の主壁に対向する第１の主壁を有するエンクロージャと、無線通信用のアンテナであって、アンテナは、エンクロージャ内に含まれ、アンテナは、第１の主壁に隣接している、アンテナと、照明デバイスの無線接続性を可能にするために前記アンテナに接続されるコントローラと、第１の主壁がハウジングに当接する第１の位置、又は第２の主壁がハウジングに当接する第２の位置においてモジュールをハウジングに取り付けるために配設される取付手段とを備え、エンクロージャの第１の主壁は、アンテナが第１の主壁に隣接していることを示すための視覚的インジケータを備える、照明デバイスを提供する。
【０００７】
このような照明デバイスは、光源と、ハウジングと、照明デバイスの無線接続性(wireless connectivity)を可能にする(enable)ためのモジュールとを備える。前記モジュールは、エンクロージャと、エンクロージャ内に含まれるアンテナと、前記アンテナに接続されるコントローラとを備える。コントローラも、エンクロージャ内に含まれてもよい。それゆえ、モジュールが（すなわち、アンテナと関連したコントローラに起因して）、照明デバイスの無線接続性を可能にしてもよい。例えば、ある実施形態では、無線接続性は、光源の無線調光制御を含んでもよい。したがって、前記コントローラは、例えば、調光コントローラであってもよく、モジュールは、光源の無線調光制御を提供してもよい。さらに、本発明はまた、例えば、色制御、変調制御、色温度制御、スペクトル制御等、無線接続性を介して光源を制御する際のあらゆる種類の特性を包含してもよい。
【０００８】
さらに、ハウジングは、第２の主壁と対向する第１の主壁を有する。アンテナは第１の主壁に隣接しているので、アンテナは明らかに第２の主壁から離れることになる。斯かる距離は、干渉を防止するのに十分な距離であってもよい。すなわち、アンテナが照明デバイスのハウジングの近くにある場合、アンテナの放射パターンが影響を受ける可能性がある。例えば、アンテナの無線信号（例えば、２．４ＧＨｚのＺｉｇＢｅｅ信号）は、例えば、アンテナの近くにある金属部品又はコンポーネントによって妨げられ、該金属部品は、アンテナをデチューンする(detune)可能性がある。これは、接続性の観点でパフォーマンスを悪くする可能性がある。例えば、ハウジングの材料が金属を含む場合、第１の主壁がハウジングに当接する状態でモジュールをハウジングに取り付けることは望ましくないかもしれない。なぜなら、前記金属ハウジングが、アンテナの放射パターンを遮ったり、弱めたりする可能性があるからである。それゆえ、モジュールは、パフォーマンス的に影響を受ける可能性がある。
【０００９】
しかしながら、モジュール内でのアンテナのこの本質的に非対称な（又は好ましい）位置付けはまた、アンテナの放射パターンを、第１の主壁の方向に延びるフィールド内に実質的により多く向ける可能性がある。斯くして、例えば、ハウジングの材料が例えばポリマーを含む場合、第１の主壁がハウジングに当接する状態でモジュールをハウジングに取り付けることが望ましいかもしれない。なぜなら、斯かるポリマーハウジングは、前記放射パターンに影響を与えず、アンテナは、所望の方向に、すなわち、該アンテナが取り付けられるハウジングを介して実質的に外方に実質的により多く放射することができるからである。前記効果は、アンテナが第１の主壁に面する(face)場合、さらに一層顕著になる可能性がある。したがって、一実施形態では、アンテナは、第１の主壁に面する。それゆえ、アンテナの放射パターンは、アンテナが向けられる空間、すなわち、第１の主壁の方向に横たわる(lying)空間をより一層カバーする可能性がある。
【００１０】
結果として、前記ハウジングの材料（及び／又は例えばその形状及び寸法）に依存して、モジュールは、ハウジングに対して異なる向きに取り付けられることが望まれてもよい。それゆえ、示されているように、モジュールは、第１の位置又は第２の位置のいずれかにおいてモジュールをハウジングに取り付けるために配設される取付手段を有する。第１の位置は、第１の主壁がハウジングに当接することによって特徴付けられ、第２の位置は、第２の主壁がハウジングに当接することによって特徴付けられる。結果として、照明デバイス毎に材料及び寸法が異なる可能性があるので、本発明が、照明デバイスの無線接続性及び／又は無線調光制御の機能を確保してもよい。なぜなら、本発明によるモジュールは、より容易に照明デバイスに組み込まれ、ハウジングに対して所望の位置に、すなわち、アンテナがハウジングに隣接している（及び／又は面している）状態、又はアンテナがハウジングから離れている状態のいずれかで取り付けられ得るからである。したがって、本発明は、照明デバイス内でのモジュール（及びそこに含まれるアンテナ）のその周囲に対する相対的な位置付けを最適化することができる。
【００１１】
斯くして、前述したように、取付手段は、第１の主壁がハウジングに当接する第１の位置、又は第２の主壁がハウジングに当接する第２の位置のいずれかにおいてモジュールをハウジングに取り付けるために配設されてもよい。それゆえ、及びさらに、本発明は、有利なことに、多様な照明デバイス構成(lighting device configuration)に役立ち得る、ユニバーサルモジュールを提供する。本発明によるそのようなモジュールはさらに、最適な無線接続性を可能にしながら、モジュールが様々な異なる照明デバイスで使用され得るため、サプライチェーンにおける最小限の多様性を提供し、１つの最小在庫管理単位（ＳＫＵ： stock keeping unit）しか必要としない。これは、無線接続性を可能にするために照明デバイスに取り付けられるべきである、そのようなモジュールの製造及び流通プロセスの観点において明らかに改善される。
【００１２】
例えば、無線接続性を備える照明器具の製造者は、第三者である製造者の無線接続性を備えない照明器具を、自身の無線接続プロトコルと互換性があるようにする／アップグレード可能にすることを望むかもしれない。しかしながら、第三者である製造者は、形状、サイズ、及び／又は材料が異なる多様な照明器具を備える可能性がある。各それぞれの照明器具のためにモジュールを（無線接続性のために）カスタマイズすることを防ぐために、本発明は、有利なことに、（無線接続性のための）よりユニバーサルなモジュールを提供することができる。なぜなら、本発明によるモジュールは、モジュールの無線接続性の最適なパフォーマンスを維持しつつ、２つの異なる位置でそのような第三者の照明器具のハウジングに取り付けられ得るからである。
【００１３】
一実施形態では、光源は、ＬＥＤ光源を含んでもよい。代替的に、光源は、ハイパワーＬＥＤ光源、又はピクセル化されたＬＥＤスポット等のそのアレイを含んでもよい。代替的に、光源は、従来の光源、ＴＬＥＤ、蛍光管、又はハロゲンスポットであってもよい。
【００１４】
前記で一部述べたように、モジュールは、第１の位置又は第２の位置のいずれかにおいて、前記取付手段を介して、ハウジングに取り付けられてもよい。前記アンテナはモジュールのエンクロージャ内に含まれるため、第１の主壁に対するアンテナの隣接が最初から見えない可能性があるので、前記モジュールをハウジングに取り付ける仕方についてのより良い理解を提供するように、アンテナがモジュール内のどこに位置しているかを示すことが望ましいかもしれない。例えば、アンテナが、モジュールのエンクロージャ内に非対称的に（又は好ましい位置、例えば、高所位置(elevated position)に）位置付けられることがあり得る。したがって、前述したように、エンクロージャの第１の主壁は、アンテナが第１の主壁に隣接していることを示すための視覚的インジケータを備えてもよい。追加的又は代替的な実施形態において、エンクロージャの第１の主壁は、アンテナが第１の主壁に面していることを示すための視覚的インジケータを備えてもよい。そのような視覚的インジケータは、例えば、ステッカーであってもよい。そのような視覚的インジケータは、さらに、第１の主壁のある色又は第１の主壁に示されたマークのいずれかであってもよい。そのようなマークは、例えば、第１の主壁上に塗装されてもよく、例えば製造中に第１の主壁に成形されてもよく、又は例えば製造中に第１の主壁にフライス加工されてもよい。前記視覚的インジケータはまた、透明な窓であってもよく、又はエンクロージャ内の開口であってもよい。
【００１５】
ある側面では、代替的に、エンクロージャの第２の主壁が、モジュールのエンクロージャ内のアンテナの位置を示すための視覚的インジケータを備えてもよい。さらに代替的に、ある側面では、エンクロージャの壁が、モジュールのエンクロージャ内のアンテナの位置を示すための視覚的インジケータを備えてもよい。
【００１６】
一実施形態では、アンテナは、（本願でさらに解明されるように）モジュール及びそのハウジング内に非対称的に位置付けられてもよく、エンクロージャは、モジュール内のアンテナの正確な位置付けを検査する／見るための視覚的手段を提供するように、少なくとも部分的に（又は完全に）透明であってもよい。
【００１７】
前記で一部述べたように、アンテナは、モジュールの第１の主壁に隣接している（及び／又は第１の主壁に面するように第１の主壁に向けられている）ので、モジュールは、該モジュールが無線接続性及び／又はその放射パターンを可能にする明確な向き（又は好み）を有してもよい。一実施形態では、モジュールは、コントローラを備えるベースキャリア(base carrier)と、アンテナを備える高所キャリア(elevated carrier)とを備え、ベースキャリア及び高所キャリアは、エンクロージャ内に含まれてもよく、ベースキャリアは、エンクロージャ内で第２の主壁上に置かれてもよく、前記ベースキャリアから突出するオフセット部材(offset member)が、前記高所キャリアを前記ベースキャリアより高くする及び前記ベースキャリアと前記高所キャリアとの間の高さを規定するために配設されてもよい。ここで、ベースキャリアは、例えば、コンポーネント又は金属部品を含んでもよい。アンテナを備える高所キャリアは、前記高さにわたってベースキャリアから分離されている／ベースキャリアの上方に上昇しているので、アンテナは、ベースキャリア上に存在する回路又はコンポーネントによって影響を受けないであろう。これはさらに、モジュールの改善された無線接続性を可能にし得る。斯くして、前記高さは、突出部材の高さであってもよい。
【００１８】
さらに、一実施形態では、前記高さは、少なくとも１ｃｍであって、最大でも４ｃｍであってもよい。そのような高さは、調光コントローラ並びに／又はそれに関連する電子機器及び／若しくはコンポーネントを備えるベースキャリアから十分な距離があるので、アンテナにとって有利であり得る。例えば、前記高さは、２．４ＧＨｚのＺｉｇＢｅｅ信号を提供するアンテナにとってとりわけ有利であり得る。したがって、一実施形態では、アンテナは、ＺｉｇＢｅｅ及び／又はＢｌｕｅｔｏｏｔｈ通信のために配設されてもよい。ここで、前記ベースキャリアは、ＺｉｇＢｅｅチップ、例えば、ＺｉｇＢｅｅインテリジェンス(ZigBee intelligence)を備えてもよい。ベースキャリアは、例えば、ＺｉｇＢｅｅ−Ｂｌｕｅｔｏｏｔｈコンボチップを備えてもよい。代替的に、前記高さは、少なくとも１ｃｍであり、最大でも３ｃｍである。さらに、モジュールの幾何学的構成は、コンパクトで小型のモジュールを作りながら、調光コントローラを備えるベースキャリア上に含まれる例えば金属部品に対するアンテナの距離が最大となるように、前述した高さによって最適化されてもよい。
【００１９】
一実施形態では、第１の主壁は、第２の主壁に対して平行である、又は第１の主壁は、第２の主壁に対しててテーパー状にされる(tapered)。前者の場合、第１の主壁は、第２の主壁に対して平行であり、これにより、モジュール（及びそこに含まれるアンテナ）は、取り付け時に向きを反転させられることができる。これは、モジュールを取り付けるのにより自由を与える。後者の場合、第１の主壁は、第２の主壁に対してテーパー状にされ、このテーパー(taper)は、モジュールがさらなる位置に裏返された場合、モジュール内に含まれるアンテナが初期位置に対してある角度にある(under an angle)ことを可能にし得る。これは、各々が異なる構成を有する多様な照明デバイスにおいてモジュールを取り付けるためにより多くの自由を与える。このようなテーパーの場合、第１の主壁及び第２の主壁によって特徴付けられる斯かるテーパー面の間の角度は、最大でも３０°であってもよく、又は最大でも１５°であってもよい。
【００２０】
無線接続性を可能にするそのようなモジュールは、１つの方向及び／又は１つの位置において、その表面のうちの１つの表面を介してのみ取り付け可能であり得ることがよくある。一実施形態では、第１の主壁及び第２の主壁は、平坦であってもよい。すなわち、第１の主壁及び第２の主壁は、実質的に平坦であってもよい。モジュールはハウジングに取り付けられてもよいので、モジュールのエンクロージャの平坦な第１の主壁及び平坦な第２の主壁を有することは、モジュールが、平坦な表面領域を含むことがよくある、そのようなハウジングに容易に取り付けられることを可能にする。斯くして、例えば、モジュールは、そのエンクロージャの平坦な主壁をハウジングの平坦な表面に当接させるように特に配設されてもよい。
【００２１】
一実施形態では、モジュールは、モジュール材料を含み、モジュール材料は、ポリマーであってもよい。前記ポリマーは、例えば、ＰＥ、ＰＥＴ、ＰＶＣ、ＡＢＳ等であってもよい。一実施形態では、ハウジングは、ハウジング材料を含み、ハウジング材料は、ポリマー、金属、セラミック、ガラスのうちのいずれかであってもよい。
【００２２】
一実施形態では、第１の主壁及び／又は第２の主壁は、厚さを持ち、前記厚さは、１ｍｍ、２ｍｍ、３ｍｍ、１ｍｍ及び３ｍｍの間、又は４ｍｍのうちのいずれかであってもよい。
【００２３】
一実施形態では、モジュール（及び対応するエンクロージャ）は、高さ、幅、及び長さがそれぞれ最大でも４ｃｍ、４ｃｍ、及び５ｃｍであるボックスであってもよい。このようなボックスは、有利なことに、例えば無線接続性のために当初設計されていない照明器具に収まるようにコンパクトであり得る。代替的に、一実施形態では、前記モジュール（及び対応するエンクロージャ）は、スポットライトの円筒形のハウジング内に収まるように円筒形状を有してもよい。
【００２４】
いくつかの例では、例えば、アンテナの無線接続性をさらに向上させるために、例えば、アンテナパターンを第１の主壁の方向に横たわる空間に向けるために、ハウジングは開口を備えてもよい。したがって、代替的な実施形態では、ハウジングは、第１の主壁がハウジングに当接するインターフェース領域(interface area)に開口を備えてもよい。このような開口は、例えば、照明デバイスの金属ハウジングに確立されてもよい。照明デバイスは、さらに、前記開口を閉じるための蓋、パネル又はプラグを備えてもよい。前記インターフェースは、ハウジングの表面領域であってもよい。
【００２５】
一実施形態では、取付手段は、前記第１の位置又は前記第２の位置においてハウジングにモジュールを着脱可能に取り付けるように構成されてもよい。モジュールをハウジングに着脱可能に取り付けるように構成されてもよい取付手段を有することは、モジュールの位置が、モジュールの取り外し及び再取り付けによって容易に修正され得るので、前記第１の位置又は前記第２の位置においてハウジングにモジュールを取り付けるのによりフレキシビリティを与える。
【００２６】
一実施形態では、取付手段は、第１の主壁から第２の主壁へ延びるエンクロージャ内のスループットホール(throughput hole)であって、スループットホールは、固定要素を収容するように配設される、スループットホール、ベルクロ(Velcro)、接着性表面領域(adhesive surface area)、モジュールを少なくとも１つのそれぞれのスロットにスナップフィットするための少なくとも１つの歯であって、ハウジングは、前記少なくとも１つのそれぞれのスロットを備える、少なくとも１つの歯、及び、磁性領域に磁気的に接続するための磁性部材であって、ハウジングは、前記磁性領域を備える、磁性部材のうちの少なくとも１つを備えてもよい。
【００２７】
そのようなスループットホールは、前記ベースキャリア及び／又は前記高所キャリアを通って延びてもよい。そのようなスループットホールは、例えば、ねじ、ボルト、ピン、リベット、ワイヤ、及び／又は釘のうちのいずれかである固定要素を収容してもよい。いくつかの例では、前記固定要素は、前記ベースキャリア及び前記高所キャリアを通って延び、それによって、アンテナを備える高所キャリアの接地体を拡大するようにベースキャリアと高所キャリアとを容量的に結合してもよい。これは、モジュールのＲＦ機能を改善し得る。
【００２８】
さらに、前記接着性表面領域は、モジュールに関して追加の要素を必要としないので有利であり得る。このような接着性表面領域は、例えば、接着剤、両面テープ、又は再取付可能（両面）テープ、又は接着ペーストであってもよい。さらに、前記ベルクロは、簡単かつ低コストの着脱可能な取付手段を提供し得るので有利であり得る。また、前記ベルクロを使用することにより、位置決めの小さな調整が容易に可能であるため、モジュールは、よりフレキシブルに取り付けられ得る。同様の議論は、金属ハウジングに前記モジュールを取り付けるためにさらに有利であり得る、磁気部材に当てはまり得、さらに、前記磁気部材を備えた取付手段は、追加の要素を必要としなくてもよい。さらに、前記スナップフィットは、既知のスナップフィット技術によるものであってもよい。代替的に、前記取付手段は、プレスフィットに適した形状又はペリメータ(perimeter)を備えるモジュールによって確立されてもよい。
【００２９】
前述したように、モジュールは、第１の位置又は第２の位置のいずれかにおいてモジュールをハウジングに取り付けるために配設される取付手段を有する。第１の位置は、第１の主壁がハウジングに当接することによって特徴付けられ、第２の位置は、第２の主壁がハウジングに当接することによって特徴付けられる。しかしながら、アンテナが照明デバイスのハウジングの近くにある場合、アンテナの放射パターンが、パフォーマンス的に影響を受ける可能性がある。例えば、ハウジングの材料が金属を含む場合、第１の主壁がハウジングに当接する状態でモジュールをハウジングに取り付けることは望ましくないかもしれない。なぜなら、前記金属ハウジングが、アンテナの放射パターンを遮ったり、弱めたりする可能性があるからである。したがって、一実施形態では、モジュールは、ハウジング材料が金属である場合、第１の位置においてハウジングに取り付けられてもよく、又は、モジュールは、ハウジング材料がポリマーである場合、第２の位置においてハウジングに取り付けられてもよい。
【００３０】
さらに、前述したように、モジュールは、動作中に、例えば光源の無線調光制御等の照明デバイスの無線接続性を可能にしてもよい。一般的に、一実施形態では、照明デバイスはさらに、光源に給電するためのドライバを備えてもよく、モジュールのコントローラはさらに、電力を受ける、レベルを決定する、及び、光源の無線制御を提供するように決定されたレベルでドライバに前記受けた電力を送るように構成されてもよい。前記レベルは、例えば、色レベル、強度レベル、色温度レベル、又は制御コマンドに関連付けられたものであってもよい。例えば、光源の無線調光制御を提供することが有利であり得る。なぜなら、調光は、光源の強度を定義するので、照明制御の重要な機能であり得るからである。したがって、さらなる実施形態では、照明デバイスはさらに、光源に給電するためのドライバを備えてもよく、モジュールのコントローラはさらに、電力を受ける、調光レベルを決定する、及び、光源の無線調光制御を提供するように決定された調光レベルでドライバに前記受けた電力を送るように構成されてもよい。斯くして、前記コントローラは、調光コントローラであってもよい。調光コントローラは、位相カット調光に適してもよい。斯くして、モジュールは、制御された主電力を照明ドライバに提供してもよく、主電力は、主電源ケーブルを介してモジュールに供給されてもよい。斯くして、モジュールは、追加的に、主電源ケーブルを接続するためのターミナルブロックを備えてもよい。斯くして、モジュールは、有利なことに、当初は無線調光制御のために設計されていなくてもよい照明デバイスの光源の無線調光制御を可能にする。前記調光レベルは、前記アンテナを介してコントローラに通信されてもよい。したがって、調光コントローラ及び前記アンテナは、信号が通信されることを可能にする配線又はトラック等、電子機器における既知の手段を介して互いに接続されてもよい。このような信号は、例えば、調光レベルを含む調光コマンドであってもよい。
【００３１】
本発明のさらなる目的は、少なくとも上記の課題及び不利な点を緩和する、改善された照明システムを提供することである。そのため、本発明はさらに、本発明による照明デバイスと、照明デバイスを無線制御するためのリモートデバイスとを含む照明システムを提供する。前記制御は、例えば、無線調光制御、及び／又は無線色制御、無線色温度制御、無線変調制御等であってもよい。さらに、例えば、前記リモートデバイスは、照明デバイスの光源への接続機能、例えば無線調光制御等を可能にするように照明デバイスのモジュールのアンテナにコマンド、例えば、無線調光コマンド等を送信するように構成されてもよい。さらに、前記リモートデバイスはまた、ブリッジデバイスを介して、本発明によるモジュールによって無線接続性が可能にされる前記照明デバイスを制御してもよく、ブリッジデバイスはまた、照明システムの一部であってもよい。
【００３２】
本発明による照明デバイスに当てはまる利点及び／又は実施形態は、本発明による目下の照明システムにも当てはまり得る。
【００３３】
本発明のさらなる目的は、少なくとも上記の課題及び不利な点を緩和する、光源とハウジングとを備える照明デバイスに照明デバイスの無線接続性、例えば、光源の無線調光制御等を可能にするためのモジュールを設ける改善された方法を提供することである。そのため、本発明はさらに、光源とハウジングとを備える照明デバイスに照明デバイスの無線接続性を可能にするためのモジュールを設ける方法であって、モジュールは、第２の主壁に対向する第１の主壁を有するエンクロージャと、無線通信用のアンテナであって、アンテナは、エンクロージャ内に含まれ、アンテナは、第１の主壁に隣接している、アンテナと、照明デバイスの無線接続性を可能にするためにアンテナに接続されるコントローラとを備え、当該方法は、第１の主壁がハウジングに当接する第１の位置、又は第２の主壁がハウジングに当接する第２の位置において、取付手段によって、モジュールをハウジングに取り付けることを含む、方法を提供する。
【００３４】
さらに、一実施形態では、当該方法はさらに、ハウジングのハウジング材料が金属である場合、第１の位置においてモジュールをハウジングに取り付ける、又は、ハウジングのハウジング材料がポリマーである場合、第２の位置においてモジュールをハウジングに取り付けることを含んでもよい、本発明による方法が提供される。
【００３５】
方法は、（追加的に）、前記照明デバイスの無線接続性を可能にする方法であってもよい。
【００３６】
一実施形態では、照明デバイスはさらに、光源に給電するためのドライバを備えてもよく、当該方法はさらに、モジュールのコントローラによって行われる、電力を受けること、レベルを決定すること、及び、決定されたレベルでドライバに前記受けた電力を送ることを含んでもよい、本発明による方法が提供される。前記レベルは、例えば、色レベル、強度レベル、色温度レベル、又は制御コマンドに関連付けられたものであってもよい。
【００３７】
例えば、光源の無線調光制御を提供することが有利であり得る。なぜなら、調光は、光源の強度を定義するので、照明制御の重要な機能であり得るからである。したがって、さらなる実施形態では、照明デバイスはさらに、光源に給電するためのドライバを備えてもよく、当該方法はさらに、モジュールのコントローラによって行われる、電力を受けること、調光レベルを決定すること、及び、決定された調光レベルでドライバに前記受けた電力を送ることを含んでもよい、本発明による方法が提供される。斯くして、コントローラは、無線調光コントローラであってもよい。
【００３８】
一実施形態では、当該方法はさらに、モジュールのアンテナによって、レベルを含む無線コマンドを受信すること、及び、前記コントローラに前記レベルを伝えることを含んでもよい、本発明による方法が提供される。
【００３９】
一実施形態では、当該方法はさらに、モジュールのアンテナによって、調光レベルを含む無線調光コマンドを受信すること、及び、前記調光コントローラに前記調光レベルを伝えることを含んでもよい、本発明による方法が提供される。
【００４０】
さらなる実施形態では、当該方法はさらに、リモートデバイスによって行われる、照明デバイスのアンテナに前記例のいくつかにおける無線調光コマンド等の無線コマンドを送信することを含んでもよい、本発明による方法が提供される。
【００４１】
本発明による照明デバイス及び／又は照明システムに当てはまる利点及び／又は実施形態は、本発明による目下の方法にも当てはまり得る。
【００４２】
さらに、ある態様では、前記照明デバイスは、アセンブリされて（本発明による）照明アセンブリ及び／又は照明デバイスを形成する、光源と、ハウジングと、本発明によるモジュールとを含む部品のキット(kit of parts)であってもよい。本発明による照明デバイス及び／又は照明システムに当てはまる利点及び／又は実施形態は、本発明による目下の部品のキットにも当てはまり得る。
【００４３】
さらに、ある態様では、本発明は、前記のように、照明デバイスに対して、本発明によるモジュールを提供してもよい。
【図面の簡単な説明】
【００４４】
ここで、本発明が、概略的で非限定的な図によってさらに述べられる。
【図１】図１は、本発明による照明デバイスとリモートデバイスとを含む照明システムの一実施形態を概略的に示し、照明デバイスは、光源と、ハウジングと、モジュールを備える。
【図２】図２は、斜視図で本発明によるモジュールの一実施形態を概略的に示す。
【図３】図３Ａ及び図３Ｂは、それぞれ本発明による第１の位置及び本発明による第２の位置における側面図で本発明によるモジュールの一実施形態を概略的に示す。
【図４】図４は、光源とハウジングとを備える照明デバイスに照明デバイスの無線接続性及び照明デバイスの制御を可能にするためのモジュールを設ける方法の一実施形態を、フローチャートにおいて、概略的に示す。
【発明を実施するための形態】
【００４５】
前述のように、本発明の目的は、無線接続性を可能にするためのモジュールを備える照明デバイスであって、該モジュールは、そのような照明デバイスの多くのバリエーションに容易に且つ幅広く組み込まれ得る、改善された照明デバイスを提供することにある。それゆえ、本発明は、多様な照明デバイス構成に役立ち得る、ユニバーサルモジュールを提供する、及び／又は、最適な無線接続性を可能にしながら、モジュールが様々な異なる照明デバイスで使用され得るため、サプライチェーンにおける最小限の多様性及び１つのみの最小在庫管理単位を提供する。
【００４６】
図１は、非限定的な例として、本発明による照明デバイス１００とリモートデバイス５０とを含む照明システム１０００の一実施形態を概略的に示す。ここで、本例では、照明デバイス１００は、天井照明器具である。代替的に、照明デバイス１００は、他の任意のタイプの照明器具であってもよい。照明デバイス１００は、光源２０と、ハウジング１０と、照明デバイス１００の無線接続性を可能にするためのモジュール３０とを備える。リモートデバイス５０は、モジュール３０と通信することにより照明デバイス１００を無線制御するように構成される。リモートデバイスは、スマートフォンであるが、代替的に、タブレット、ウェアラブル、コミッショニングデバイス、コンピュータ、ブリッジ、サーバ、別のスマートランプ、車両等のうちのいずれかであってもよい。前記無線制御は、照明デバイス１００の調光を無線制御することであるが、代替的に、色、色温度、変調、オン／オフ状態、又は任意の他の既知の照明特性等のいずれかを無線制御することを含んでもよい。デバイス５０及び照明デバイス１００のモジュール３０は、ＺｉｇＢｅｅ及び／又はＢｌｕｅｔｏｏｔｈを介して、例えば、２．４ＧＨｚのＺｉｇＢｅｅ信号を介して通信するが、代替的に、Ｗｉ−Ｆｉ、赤外線、ＲＦ、可視光通信(Visible Light Communication)、ＬｉＦｉ、ＬｏＲａ、Ｂｌｕｅｔｏｏｔｈのうちのいずれかを介して通信してもよい。
【００４７】
光源２０は、（任意に）出射光を指向するためのライトガイド及び／又は光学系を備える、ＬＥＤモジュール内に具現化される、ＬＥＤアレイである。したがって、光源２０は、照明デバイス１００内で比較的大きな体積を占め得る。代替的に、前記光源は、ハイパワーＬＥＤ光源、又はピクセル化されたＬＥＤスポット等のそのアレイであってもよい。代替的に、光源は、従来の光源、ＴＬＥＤ、蛍光管、又はハロゲンスポットであってもよい。
【００４８】
図２、図３Ａ及び図３Ｂは、非限定的な例として、本発明による照明モジュール３０を示している。これらの図を参照して、また図１を参照して、前述したように、照明デバイス１００は、照明デバイス１００の無線接続性、すなわちここでは、光源２０の無線調光制御を可能にするためのモジュール３０を備える。モジュール３０は、第２の主壁３２と対向する第１の主壁３１を有するエンクロージャ３３を備える。モジュール３０は、射出成形され、ＰＥ、ＡＢＳ、ＰＥＴ、ＰＶＣ等のポリマーであるモジュール材料を含む。代替的に、他の製造方法が、前記モジュールを製造するために使用されてもよい。モジュール３０は本質的に矩形のボックスであるため、第１の主壁３１は、第２の主壁３２と平行である。それゆえ、第１の主壁３１及び第２の主壁３２は、（実質的に）平坦な表面である。モジュール３０のエンクロージャ３３の第１の主壁３１及び第２の主壁３２のそのような平坦な表面は、モジュール３０を別の平坦な表面、例えば、照明デバイスのハウジングの表面等に取り付けることを容易にする。代替的に、図示されていないが、モジュールは、異なる形状を有してもよく、前記第１の主壁は、前記第２の主壁に対してテーパー状であってもよい。これは、第１の主壁から第２の主壁にモジュールの向きを変える場合、モジュールが、ある角度をつけて取り付けられることを可能にする。この代替例は、各々が異なる構成を有する多様な照明デバイスにおいてモジュールを取り付けるためにより多くの自由を与える。
【００４９】
依然として図１、図２、図３Ａ及び図３Ｂを参照して、モジュール３０はさらに、エンクロージャ３３内に含まれるアンテナ３４を備える。アンテナ３４は、とりわけ無線接続性を提供し、本質的にはリモートデバイス５０と通信するための送受信手段を提供する。アンテナ３４は、第１の主壁３１に隣接している。斯くして、アンテナ３４は、第２の主壁３２から明らかに離れた位置にある。ここで、アンテナ３４はまた、第１の主壁の方向に横たわる空間、すなわち、例えば、リモートデバイス５０が存在する照明デバイス１００の下の部屋／環境により多く向けられるアンテナ３４の放射パターンを提供するように、第１の主壁３１に面している。それにもかかわらず、代替的に、前記アンテナは、アンテナの分野で知られているように、無指向性であり、代替的な放射パターンを有してもよい。
【００５０】
依然として図１、図２、図３Ａ及び図３Ｂを参照して、モジュール３０はさらに、エンクロージャ３３内に含まれ、アンテナ３４と接続されるコントローラ３５を備える。このような接続は、信号が両コンポーネント間で通信されることを意味してもよい。コントローラは、無線調光コントローラ３５であるが、代替的に、無線接続機能のための処理能力を提供するのに適した他の任意のコントローラであってもよい。さらに代替的に、前記コントローラは、分散型コントローラ及び／又は（部分的に又は完全に）エンクロージャ内に含まれないコントローラであってもよい。
【００５１】
さらに、本実施形態では、モジュール３０は、コントローラ３５を備えるベースキャリア３７と、アンテナ３４を備える高所キャリア３６とを備える。ベースキャリア３７は、エンクロージャ３３内の第２の主壁３２上に置かれる。ベースキャリア３７はさらに、前記ベースキャリア３７から突出するオフセット部材３８を含み、オフセット部材３８は、前記高所キャリア３６を前記ベースキャリア３７より高く保持し、前記ベースキャリアと前記高所キャリアとの間の高さを規定する。ここでは、この高さは３ｃｍであるが、代替的に、少なくとも１ｃｍであり、最大でも４ｃｍであってもよく、又は代替的に最大でも５ｃｍであってもよい。ベースキャリア３７はさらに、コンデンサ、チップセット、トラック、抵抗、絶縁等のさらなるコンポーネントを含んでもよい。
【００５２】
依然として図１、図２、図３Ａ及び図３Ｂを参照して、前述したように、エンクロージャ３３は、第２の主壁３２と対向して平行な第１の主壁３１を有する。アンテナ３４は第１の主壁３１に隣接しているので、アンテナ３４は、第２の主壁３２から明らかに距離を置いており、該距離は、オフセット部材３８によって確立される少なくとも前述の高さである。斯かる距離は、干渉を防止するのに十分な距離であってもよい。すなわち、アンテナ３４が照明デバイス１００のハウジング１０の近くにある場合、アンテナ３４の放射パターンが影響を受ける可能性がある。例えば、アンテナ３４の無線信号（例えば、２．４ＧＨｚのＺｉｇＢｅｅ信号）は、例えば、アンテナ３４の近くにある金属部品又は（電気的）コンポーネントによって妨げられ、該金属部品及び／又はコンポーネントは、アンテナ３４をデチューンする可能性がある。これは、接続性の観点でパフォーマンスを悪くする可能性がある。
【００５３】
モジュール３０は、異なる位置で照明デバイス１００のハウジング１０に取り付けられてもよい。第１の位置１は、第１の主壁３１がハウジング１０に当接することによって特徴付けられ、第２の位置２は、第２の主壁３２がハウジング１０に当接することによって特徴付けられる。
【００５４】
例えば、具体的に図３Ｂを参照すると、ハウジング１０の材料が、ステンレス鋼等の金属を含む場合、第１の主壁３１がハウジング１０に当接する状態でモジュール３０をハウジング１０に取り付けることは望ましくないかもしれない。なぜなら、前記金属ハウジング１０が、アンテナ３４の放射パターンを遮ったり、弱めたりする可能性があるからである。それゆえ、モジュール３０が、パフォーマンス的に影響を受ける可能性がある。代わりに、第２の主壁３２が金属ハウジング１０に当接する第２の位置２においてアンテナ３４を金属ハウジング１０に取り付けることが望まれてもよい。代替的に、図示されていないが、ハウジングは、第１の主壁がハウジングに当接するインターフェース領域に開口を備えてもよく、該開口を介して、アンテナの放射パターンが追加的に「逃げる」ようにしてもよい。
【００５５】
しかしながら、モジュール３０内でのアンテナ３４の本質的に非対称な（又は好ましい）位置付けはまた、アンテナ３４の放射パターンを、第１の主壁３１の方向に、例えば、リモートデバイス５０が存在する照明デバイス１００の下の前記部屋／環境に実質的により多く向ける可能性がある。斯くして、例えば、代替的に、具体的に図３Aを参照すると、ハウジングの材料が例えばポリマーを含む場合、第１の主壁３１がハウジング１０に当接する状態でモジュール３０をハウジング１０に取り付けることが望ましいかもしれない。なぜなら、斯かるポリマーハウジング１０は、前記放射パターンに影響を与えず、アンテナ３４は、所望の方向に、すなわち、該アンテナが取り付けられるハウジング１０を介して実質的に外方に実質的により多く放射することができるからである。
【００５６】
結果として、依然として図３Ａ及び図３Ｂを参照して、前記ハウジング１０の材料（及び／又は例えばその形状及び寸法）に依存して、モジュール３０は、ハウジング１０に対して異なる向きに取り付けられることが望まれてもよい。したがって、モジュール３０は、ハウジング材料が金属である場合、第１の位置１においてハウジング１０に取り付けられてもよく、又は、モジュール３０は、ハウジング材料がポリマーである場合、第２の位置２においてハウジング１０に取り付けられてもよい。
【００５７】
本実施形態では、図１、図２及び図３Ｂを参照して、照明デバイス１０のハウジング１０（すなわち、天井照明器具）は、スチール金属エクステリアを備える。代替的に、ハウジングは、ポリマー、金属、セラミック、ガラスのうちのいずれかであるハウジング材料を含んでもよい。天井照明器具は、当初、無線接続機能を有するように設計されていなかったため、モジュール３０は、スペースを考慮してこのハウジング１０に取り付けられる必要がある。それゆえ、モジュール３０は、第２の主壁３２がハウジング１０に当接する第２の位置２においてハウジング１０に取り付けられる。この第２の位置２は、アンテナ３４が金属ハウジング１０から十分に離れ、改善された接続性を有することを保証する。
【００５８】
モジュール３０は、第１の位置１又は第２の位置２のいずれかにおいてモジュール３０をハウジング１０に取り付けるために配設される取付手段３９を有する。モジュール３０をハウジングに取り付けるための取付手段３９は、ここでは、第１の主壁３１から第２の主壁３２まで延びるエンクロージャ３３内のスループットホール３９であり、スループットホール３９は、固定要素（図示せず）を収容するように配設される。この固定要素（図示せず）は、ねじ（図示せず）である。代替的に、前記固定要素は、ボルト、ピン、リベット、ワイヤ、及び／又は釘のいずれかであってもよい。ねじは、両方向（すなわち、第１の主壁３１から第２の主壁３２へ、又はその逆）に前記スループットホール３９を介してハウジングにねじ込まれてもよく、前記両方向は、モジュール３０がそれぞれ第１の位置１又は第２の位置２に取り付けられることに対応する。取付手段３９は、ねじ（図示せず）を受けるためのスループットホール３９であるため、モジュール３０は、前記第１の位置１又は前記第２の位置のいずれかにおいて前記ハウジング１０に着脱可能に固定されることができる。
【００５９】
代替的に、取付手段は、ベルクロ、接着性表面領域、モジュールを少なくとも１つのそれぞれのスロットにスナップフィットするための少なくとも１つの歯であって、ハウジングは、前記少なくとも１つのそれぞれのスロットを備える、少なくとも１つの歯、及び、磁性領域に磁気的に接続するための磁性部材であって、ハウジングは、前記磁性領域を備える、磁性部材のうちのいずれかであってもよい。
【００６０】
いくつかの例では、代替的及び／又は追加的に、前記固定要素は、前記ベースキャリア及び前記高所キャリアを通って延び、それによって、アンテナを備える高所キャリアの接地体を拡大するようにベースキャリアと高所キャリアとを容量的に結合してもよい。これは、モジュールのＲＦ機能を改善し得る。
【００６１】
結果として、照明デバイス１００毎に材料及び寸法が異なる可能性があるため、本発明が、照明デバイス１００の無線接続性及び／又は無線調光制御の機能を確保してもよい。なぜなら、本発明によるモジュール３０は、より容易に照明デバイス１００に組み込まれ、ハウジング１０に対して所望の位置に、すなわち、ここで示されるようにアンテナ３４がハウジング１０から離れている又はアンテナ３４がハウジング１０に隣接する（及び／又は面する）ように取り付けられ得るからである。したがって、本発明は、照明デバイス１００内でのモジュール３０（及びそこに含まれるアンテナ３４）のその周囲に対する相対的な位置付けを最適化することができる。
【００６２】
依然として図１及び図２を参照して、前記で一部述べたように、モジュール３０は、第１の位置１又は第２の位置２のいずれかにおいて（ここでは第２の位置２である）、前記取付手段３９を介して、ハウジング１０に取り付けられてもよい。前記アンテナ３４はモジュール３０のエンクロージャ３３内に含まれるため、第１の主壁３１に対するアンテナ３４の隣接が、モジュール３０及びそのエンクロージャ３３から見えない可能性があるので、前記モジュール３０をハウジング１０に取り付ける仕方についてのより良い理解を提供するように、アンテナ３６がモジュール３０内のどこに位置しているかを示すことが望ましいかもしれない。したがって、エンクロージャ３３の第１の主壁３１は、アンテナ３４が第１の主壁３１に隣接していることを示すための視覚的インジケータ４０を備えてもよい。前記インジケータ４０は、第１の主壁３１に、すなわち、例えば、アンテナ３４が第１の主壁３１に隣接している位置に刻印又は成形されたＰｈｉｌｉｐｓマークである。前記インジケータ４０は、代替的に、ステッカー、第１の主壁のある色又は第１の主壁に示された突起であってもよい。
【００６３】
図１に示される実施形態に類似しているが、ここでは示されていない実施形態では、照明デバイスはさらに、光源に給電するためのドライバを備える。モジュールのコントローラはさらに、電力を受けるように構成される。この電力は、例えばモジュール内のターミナルブロックに接続される、主電力から受けてもよい。代替的に、前記モジュールは、バッテリ駆動であり、バッテリから前記電力を受けてもよい。モジュールのコントローラはさらに、レベルを決定する、及び、光源の無線制御を提供するように決定されたレベルでドライバに前記受けた電力を送るように構成される。レベルは調光レベルであり、前記無線制御は、光源の対応する無線調光制御であるが、代替的に、色レベル、強度レベル、色温度レベル、又は制御コマンドに関連付けられたものであってもよく、無線制御は、光源の対応する無線制御であってもよい。
【００６４】
図４は、本発明による照明デバイス１００に無線接続性、例えば、無線調光制御等を可能にするためのモジュール３０を設ける方法４００を、フローチャートにおいて、非限定的な例として、概略的に示す。前述のように、本発明による前記照明デバイスは、光源２０とハウジング１０とを備える。モジュール３０は、照明デバイス１００の無線接続性を可能にする。モジュール３０は、第２の主壁３１と対向する第１の主壁３１を有するエンクロージャ３３を備える。モジュール３０はさらに、無線通信用のアンテナ３４を備え、アンテナ３４は、エンクロージャ３３内に含まれ、アンテナ３４は、第１の主壁３１に隣接している。モジュール３０はさらに、照明デバイス１００の無線接続性を可能にするために前記アンテナ３４に接続されるコントローラ３５を備える。方法は、第１の主壁３１がハウジング１０に当接する第１の位置１、又は第２の主壁３２がハウジング１０に当接する第２の位置２において、前述した取付手段３９によって、モジュールをハウジング１０に取り付けるステップ４０１を含む。
【００６５】
さらに、一実施形態では、方法はさらに、ハウジングのハウジング材料が金属である場合、第１の位置においてモジュールをハウジングに取り付ける、又は、ハウジングのハウジング材料がポリマーである場合、第２の位置においてモジュールをハウジングに取り付けることを含む、本発明による方法が提供される。
【００６６】
さらに、方法４００の他のステップは、無線接続性を可能にするための前記モジュール３０を備えた照明デバイス１００の無線接続機能に関連してもよい。それゆえ、照明デバイス１００はさらに、光源２０に給電するためのドライバ（図示せず）を備える。方法は、モジュール３０のコントローラ３５によって行われる、電力を受けるステップ４０２、調光レベルを決定するステップ４０３、及び、決定された調光レベルでドライバ（図示せず）に前記受けた電力を送るステップ４０４を含む。さらに、方法の他のステップは、モジュール３０のアンテナ３４によって、調光レベルを含む無線コマンドを受信するステップ４０５、及び、前記コントローラ３５に前記レベルを伝えるステップ４０６を含む。さらに、方法の他のステップは、リモートデバイスによって行われる、照明デバイスのアンテナに無線コマンドを送信するステップ４０７を含む。前記調光レベルは、例えば、代替的に、色レベル、強度レベル、色温度レベル、又は制御コマンドに関連付けられたものであってもよい。
【図１】
2021530844.tif 000003
【図２】
2021530844.tif 000004
【図３Ａ】
2021530844.tif 000005
【図３Ｂ】
2021530844.tif 000006
【図４】
2021530844.tif 000007
【国際調査報告】
2021530844.tif 000008
2021530844.tif 000009